(57)【要約】【課題】  顔の美容に効果があり、しかも無駄な脂肪を取り除く痩身効果もあり、デザイン的にも優れ、女性がおしゃれの携帯用持ち物としてふさわしい美容ローラマッサージ器と提供する。【解決手段】  円筒状の基軸１の両端に可撓性を備えた第１の固定軸２と第２の固定軸３が延設され、この第１の固定軸２と第２の固定軸３にそれぞれ形状の異なる回転打撃部１０とローリング部２０が回転可能に装着され、前記回転打撃部１０は、合成樹脂性の第１ロ−ラＡ１１に３枚の板状のプレート１２が一体に取り付けられ、前記プレート１２はセラミック材料から形成され周囲には金属線１５（プラチナ）が埋設されている構成とした。【選択図】      図１
2005245826.tif 000002
【特許請求の範囲】
【請求項１】
顔面をローリングし、酸化脂肪、皮膚タルミなどを除去して美顔を作り上げるための顔の美容マッサージ器であって、
円筒状の基軸の両端に第１の固定軸と第２の固定軸が延設され、この第１の固定軸と第２の固定軸にそれぞれ形状の異なる回転打撃部とローリング部が回転可能に装着され、前記回転打撃部及びローリング部のそれぞれを被覆する着脱可能なキャップ兼把持部を備えていることを特徴とする顔の美容ローラマッサージ器。
【請求項２】
顔面をローリングし、酸化脂肪、皮膚タルミなどを除去して美顔を作り上げるための顔の美容マッサージ器であって、
円筒状の基軸の両端に可撓性を備えた第１の固定軸と第２の固定軸が延設され、この第１の固定軸と第２の固定軸にそれぞれ形状の異なる回転打撃部とローリング部が回転可能に装着され、前記回転打撃部は、中央に前記第１の固定軸に嵌挿する貫通孔を備えたローラＡの表面に３枚の板状のプレートが一体に取り付けられ、前記プレートは周囲には金属線が周回装着され、他方ローリング部はセラミックスによって形成され、中央に貫通孔を備えたローラＢからなり、前記第２の固定軸に回動自在に嵌装され、前記回転打撃部及びローリング部のそれぞれを被覆するキャップ兼把持部を備えていることを特徴とする顔の美容ローラマッサージ器。
【請求項３】
前記回転打撃部の回転自在のローラＡに取り付けられた３枚の板状のプレートは基部が幅広く先端が狭い形状に形成されていることを特徴とする請求項１または請求項２に記載の顔の美容ローラマッサージ器。
【請求項４】
前記ローリング部は、回転自在のローラＢが先端部に丸みを有する円筒状に形成され、このローラＢと前記第２の固定軸の間にブレーキ部材を介在させてあることを特徴とする請求項１乃至請求項３に記載のいずれか１つの顔の美容ローラマッサージ器。
【請求項５】
顔面をローリングし、酸化脂肪、皮膚タルミなどを除去して美顔を作り上げるための顔の美容マッサージ器であって、
円筒状の基軸の両端に可撓性を備えた第１の固定軸と第２の固定軸が延設され、前記第１の固定軸と第２の固定軸にそれぞれ形状の異なる回転打撃部とローリング部が回転可能に装着され、
前記回転打撃部は、前記第１の固定軸に嵌装した合成樹脂性のローラＡに３枚の板状のプレートが一体に取り付けられ、前記プレートは基部が幅広く先端が狭い形状に形成され、
前記ローリング部は、前記第２の固定軸に嵌装したローラＢが先端部に丸みを有する円筒状に形成され、前記ローラＢと前記第２の固定軸の間にブレーキ部材を介在させ、前記回転打撃部及びローリング部のそれぞれを被覆するキャップ兼把持部を備えていることを特徴とする顔の美容ローラマッサージ器。
【請求項６】
顔面をローリングし、酸化脂肪、皮膚タルミなどを除去して美顔を作り上げるための顔の美容マッサージ器であって、円筒状の基軸の両端に可撓性を備えた第１の固定軸と第２の固定軸が延設され、前記第１の固定軸と第２の固定軸にそれぞれ形状の異なる回転打撃部とローリング部が回転可能に装着され、
前記回転打撃部は、合成樹脂性のローラＡに３枚の板状のプレートが一体に取り付けられ、前記プレートは基部が幅広く先端が狭い形状に形成され、
前記ローリング部は、ローラＢが先端部に丸みを有する円筒状に形成され、前記第２のローラと前記第２の固定軸の間にブレーキ部材を介在させ、
前記回転打撃部及びローリング部のそれぞれを被覆するキャップ兼把持部を備え、
前記キャップ兼把持部は、断面が略六角形状に形成された筒状に形成され、表面に化粧の塗装が施されていることを特徴とする顔の美容ローラマッサージ器。
【発明の詳細な説明】
【技術分野】
【０００１】
本発明は、美容のために顔面をマッサージする顔の美容ローラマッサージ器に関する。
【背景技術】
【０００２】
一般に顔の美容のために、顔面に刺激を与えて顔面の肌を健康にするための器具として、特開２００３−３８５９６号公報に示すようなマッサージローラが知られている。このマッサージローラは、ゴム状弾性体からなる芯体に、絹を含む繊維群が被覆された絹ローラと、この絹ローラを回転自在に支持する把持部材とで構成されたものである。
【０００３】
しかしながらマッサージローラは、皮膚の表面を刺激して、美肌効果を発揮するものの、顔の余分な脂肪を取り痩身効果を発揮するものではなかった。そこで、痩身効果を発揮するマッサージローラとしては特許第２５７７９５号公報に示すようなマッサージローラがあった。このマッサージローラは、中空円筒体のローラと、その両側の開放端に着脱可能に装着されるキャップと、該キャップを介して前記ローラを枢支する把持具を備え、前記ローラの外周側にはその円周方向に沿って等間隔に複数板のプレートが外周に接して係着されたものである。
【特許文献１】特開２００３−３８５９６号公報
【特許文献１】特許第２５７７２９５号公報
【発明の開示】
【発明が解決しようとする課題】
【０００４】
しかしながら、上述した従来のマッサージローラは、皮膚の表面を刺激して、痩身の効果があるものの身体のボディマッサージ用であり、比較的大型であるので、顔面のマッサージには使用しにくいという問題があった。
また、比較的大きいので、専用の器具入れや比較的大型のバッグが必要とされ、他の化粧品と一緒に化粧品バッグなどに入れて持ち歩くのが困難であるという問題もあった。
さらに、従来のマッサージローラは、あくまで美容のための器具という機能第一の観点から作られているので、デザイン的なセンスが欠けており、女性のおしゃれの携帯用持ち物といった感覚はないので、人前で見せるのは遠慮があった。
【０００５】
本発明は、上述した従来の問題に鑑みなされたもので、顔の美容に効果があり、しかも無駄な脂肪を取り除き、皮膚のタルミを除く痩身効果もあり、デザイン的にも優れ、女性がおしゃれの携帯用持ち物としてふさわしい顔の美容ローラマッサージ器を提供するものである。
【課題を解決するための手段】
【０００６】
本発明は、上記課題を解決するため、顔面をローリングし、酸化脂肪、皮膚タルミなどを除去して美顔を作り上げるための顔の美容マッサージ器であって、円筒状の基軸の両端に第１の固定軸と第２の固定軸が延設され、この第１の固定軸と第２の固定軸にそれぞれ形状の異なる回転打撃部とローリング部が回転可能に装着され、前記回転打撃部及びローリング部のそれぞれを被覆する着脱可能なキャップ兼把持部を備えている顔の美容ローラマッサージ器の構成である。
【０００７】
本発明の前記課題は、円筒状の基軸の両端に可撓性を備えた第１の固定軸と第２の固定軸が延設され、この第１の固定軸と第２の固定軸にそれぞれ形状の異なる回転打撃部とローリング部が回転可能に装着され、前記回転打撃部は、中央に前記第１の固定軸に嵌挿する貫通孔を備えたローラＡの表面に３枚の板状のプレートが一体に取り付けられ、前記プレートは周囲には金属線が周回装着され、他方ローリング部はセラミックスによって形成され、中央に貫通孔を備えたローラＢからなり、前記第２の固定軸に回動自在に嵌装され、前記回転打撃部及びローリング部のそれぞれを被覆するキャップ兼把持部を備えている顔の美容ローラマッサージ器の構成によって達成できる。
【０００８】
また、本発明の前記課題は、前記回転打撃部の回転自在のローラＡに取り付けられた３枚の板状のプレートは基部が幅広く先端が狭い形状に形成されている構成、前記ローリング部は、回転自在のローラＢが先端部に丸みを有する円筒状に形成され、このローラＢと前記第２の固定軸の間にブレーキ部材を介在させてある構成によって達成できる。
【０００９】
更に、前記課題は顔面をローリングし、酸化脂肪、皮膚タルミなどを除去して美顔を作り上げるための顔の美容マッサージ器であって、円筒状の基軸の両端に可撓性を備えた第１の固定軸と第２の固定軸が延設され、前記第１の固定軸と第２の固定軸にそれぞれ形状の異なる回転打撃部とローリング部が回転可能に装着され、前記回転打撃部は、前記第１の固定軸に嵌装した合成樹脂性のローラＡに３枚の板状のプレートが一体に取り付けられ、前記プレートは基部が幅広く先端が狭い形状に形成され、
前記ローリング部は、前記第２の固定軸に嵌装したローラＢが先端部に丸みを有する円筒状に形成され、前記ローラＢと前記第２の固定軸の間にブレーキ部材を介在させ、前記回転打撃部及びローリング部のそれぞれを被覆するキャップ兼把持部を備えている構成によって達成できる。
【００１０】
さらに、本発明は、顔面をローリングし、酸化脂肪などを除去して美顔を作り上げるための顔の美容マッサージ器であって、円筒状の基軸の両端に可撓性を備えた第１の固定軸と第２の固定軸が延設され、前記第１の固定軸と第２の固定軸にそれぞれ形状の異なる回転打撃部とローリング部が回転可能に装着され、前記回転打撃部は、合成樹脂性のローラに３枚の板状のプレートが一体に取り付けられ、前記プレートは基部が幅広く先端が狭い形状に形成され、前記ローリング部は、ローラが先端部に丸みを有する円筒状に形成され、前記第２のローラと前記第２の固定軸の間にブレーキ部材を介在させ、前記回転打撃部と前記ローリング部に装着されるキャップは、断面が略六角形状の筒体に形成され、表面に化粧の塗装が施されていることを特徴とするものである。
【発明の効果】
【００１１】
本発明によれば、以下の効果を奏するものである。
（１）両側に携帯の異なる回転打撃部とローリング部を備えているので、顔の美容
と痩身効果を高めることができる。
（２）回転打撃部は、細長い板状の３枚のプレートを有する回転体なので、プレートの縁で指圧効果を発揮するので、顔の美容と痩身効果を高めることができる。また、プレートの形状が先端側が狭く、基部が幅広く形成されているので、顔面に当てて往復回転させているだけで、自然に先端側に移動するので、顔面の広い範囲亘って効果的にマッサージすることができる。
【００１２】
（３）ローリング部は、表面滑らかな金属ローラで形成され、固定軸と回転ローラとの間にブレーキ機構を介在させてあるので、回転方向に抵抗があり、回転させるため力を必要とするために、この力が顔面に対する押圧力となり、マッサージ効果を高めることができる。タルミ防止に約立つ。
（４）回転打撃部とローリング部は、固定軸に可撓性を備えた合成樹脂材料を使用しているので、顔面への押圧回転時に押圧力が適度に調整され、顔面へ優しくマッサージができるものである。
【００１３】
（５）キャップは、把持部を兼用し断面が略六角形状の筒状に形成され、表面に化粧の塗装が施されているので、握り易くなっており、女性のおしゃれな携帯用持ち物としてもあらゆる場所に持ち歩くことができ、気軽に使用できるものである。
【発明を実施するための最良の形態】
【００１４】
本発明に係る顔の美容ローラマッサージ器の最良の形態を図面にもとづき参照して説明する。
図１は本発明の顔の美容ローラマッサージ器の構造を示す断面図、図２は図１の顔の美容ローラマッサージ器の両端にキャップを装着した外観を示す正面図、図３は図１の顔の美容ローラマッサージ器の回転打撃部のキャップを除去した状態を示す正面図、図４は図３のＡ−Ａ線水平断面図、図５はローリング部の軸受部分の断面図、図６は図１の顔の美容ローラマッサージ器の回転打撃部の作用を説明する模式図、図７は図１の顔の美容ローラマッサージ器のローリング部のキャップを除去した状態を示す正面図、図８は図６のＢ−Ｂ線水平断面図、図７は図２のＣ−Ｃ線水平断面図、図９は図２のＤ−Ｄ線水平断面図、図１０は本発明美容ローラマッサージ器の使用状態図である。
【００１５】
本発明に係る顔の美容ローラマッサージ器は、図１または図２に示すように、顔面をローリングし、酸化脂肪などを除去し皮膚面のタルミを無くして美顔を作り上げるための顔の美容マッサージ器である。
円筒状の基軸１の両端を延長して第１の固定軸２と第２の固定軸３とし、この第１の固定軸と第２の固定軸に形状の異なる回転打撃部１０とローリング部２０が回転可能に装着されている。また、回転打撃部１０とローリング部２０にはそれぞれ第１キャップ４と第２キャップ５が被覆されており、この第１キャップ４と第２キャップ５は、使用時においては図３、図５に示すようにそれぞれの回転打撃部１０及びローリング部２０を被覆して把持部を形成する。
【００１６】
基軸１は、金属または合成樹脂材料より円筒形に形成され、両端にはそれぞれ第１の固定軸２と第２の固定軸３が取り付けるための取り付け孔１ａ，１ｂが形成され、止めネジ６，７により係止される。そのためこの第１の固定軸２と第２の固定軸３には、それぞれ係止溝２ａ，３ａが形成されている。また、この基軸１の中央部には、第１キャップ４と第２キャップ５が装着された場合にストッパーとなるキャップ受け８が止めネジ９により装着されており、このキャップ受け８の嵌合部８ａには嵌合突起８ｂが形成され、キャップ４,５の内面に形成された図示しない嵌合凹部が嵌合することによりキャップが固定されるようになっている。          
【００１７】
この回転打撃部１０とローリング部２０に被覆される第１キャップ４と第２キャップ５は、図２に示すように、同一形状に形成されている。これらの第１キャップ４と第２キャップ５は、図７または図８に示すように、円筒面を３ヵ所の直線で切断した略六角形に形成されており、把持部が使用時に握り易くなっている。これらの第１キャップ４と第２キャップ５の外観はおしゃれで高級感が出せるように、キャップ受け８の金属メッキとマッチングするように、化粧用のメタリック塗装が施されており、キャップが装着された状態（図２参照）では、コンパクトでオシャレな女性の持ち物としてあらゆる場所に持ち歩くことができ、気軽に使用できるものである。
【００１８】
また、回転打撃部１０とローリング部２０を回転可能に枢支する第１の固定軸２と第２の固定軸３は、合成樹脂より丸棒に形成され、可撓性を備えたものである。この第１の固定軸２と第２の固定軸３は、基軸１に形成された取り付け孔１ａ，１ｂに挿入され、止めネジ６，７により係止されている。そのため、第１の固定軸２と第２の固定軸３には、それぞれ係止溝２ａ，３ａが形成されている。そして、回転打撃部１０とローリング２０を回転可能に枢支するために、第１の固定軸２と第２の固定軸３には、それぞれ基部側と先端側には軸受１３，１４，２３，２４が装着されている。
【００１９】
第１の固定軸２に回転可能に装着される回転打撃部１０は、図３または図４に示すように、合成樹脂性より形成された中空のローラＡ１１に３枚の板状のプレート１２
が等間隔に一体に取り付けられている。このプレート１２はロ−ラＡ１１と別体に形成され、止めネジなどでロ−ラＡ１１に取り付けるものであるが、ロ−ラＡ１１と同一材料で一体成形してもよい。このロ−ラＡ１１は、図１に示すように、基軸１に固定された固定軸２の基部と先端部に軸受１３，１４によって回転可能に枢支されている。
【００２０】
このロ−ラＡ１１に取り付けられているプレート１２は、セラミックスなどの材料で型作され、基部側が幅広く先端側が狭い形状に形成されている。これは、ロ−ラＡ１１を顔面に当て往復回転させているだけで、自然に先端側に移動するので、顔面の広い範囲亘って効果的にマッサージすることができるものである。また、このプレート１２の周縁にはプラチナなどの金属から線状に加工された金属線１５が埋設されている。この金属線１５は顔面の皮膚へのイオン効果を発揮させるためのものであり、このイオン効果により皮膚が滑らかになるものである。
この回転部材にトルマリン、竹炭などのマッサージ効果のある物質を混合するとなお効果的である。
【００２１】
また、ロ−ラＡ１１に取り付けられている３枚のプレート１２，１２，１２は、図５に示すように、それぞれの両端部１２a1，１２b1，１２a2，１２b2，１２a3，１２b3を力点とし、ロ−ラＡ１１と各プレート１２と係着点のＥ１，Ｅ２，Ｅ３を作用点として、ローラＡ１１の中心点Ｏを中心として回転するものである。すると、一つのプレート１２の力点１２a1が皮膚面１６に当接する位置にきた場合にはもう一つのプレート１２の力点１２b3が皮膚面１６に当接する状態になる。そのため皮膚面１６は力点１２a1によってのみ押圧されずに２つのプレート１２の力点１２a1，１２b3により同時に押圧され。よって極端な刺激力が皮膚面１６に作用せず、適度の刺激が作用するものである。また、２つのプレート１２の力点１２a1，１２b3では、図示のように、プレート１２が皮膚面１６に対して斜め方向の荷重が垂直方向と水平方向に分力するので、適度な垂直の押圧力と水平の延圧力が皮膚面１６に作用し、マツサージ効果を高めるものである。
【００２２】
また、この回転打撃部１０を回転することにより、少なくとも３種類の振動波が発生する。すなわち、プレート１２と一体構造になったロ−ラＡ１１全体から発生する第１の振動波と、プレート１２とロ−ラＡ１１の係着点Ｅ１，Ｅ２，Ｅ３と皮膚面１６側との接触によって生ずる第２の振動波と、プレート１２の力点１２a1，１２b1，１２a2，１２b2，１２a3，１２b3と皮膚面１６との当接によってプレート１２がてこ運動することによって発生する第３の振動波である。また、中心点Ｏから作用点Ｅ１，Ｅ２，Ｅ３までの距離は一定であり、Ｅ１とＥ２、Ｅ２とＥ３、Ｅ３とＥ１の距離も一定である。またプレート１２の力点１２a1と１２b3、１２b1と１２a2、１２b2と１２a3の距離も一定であり、かつ３枚のプレート１２の形状も同一であるので、第１乃至第３の振動波は合成されて共鳴振動波が発生する。
【００２３】
このように構成された回転打撃部１０は、顔面に沿ってローリングすることにより、適宜の強さの押圧力が皮膚面１６に作用すると共に、合成された共鳴振動波が皮膚面１６側に伝達されるので、顔の贅肉部が刺激され、その部分の静電気が放電されて吸着される。その結果たるんだ皮膚が引き締まり贅肉のない健康的な美容の顔が実現できるものである。
【００２４】
また、ローリング２０部は、図１または図６に示すように、表面滑らかなセラミックなどで形成された中空筒体のローラＢ２１が第２の固定軸３に回転可能に装着されている。このローラＢ２１は、図１に示すように、基軸１に固定された固定軸２の基部と先端部に軸受２２，２３によって回転可能に枢支されるもので、軸受２２はローラＢ２１がスムーズに回転するような嵌合寸法の軸受を使用しているが、軸受２３は、ローラＢ２１の回転にブレーキをかけるような嵌合寸法の軸受を使用するものである。例えば、リング状のＯ環２４を埋設したものである（図５参照）。これは、ローラＢ２１がスムーズに回転し過ぎると顔面に対してマッサージ効果がなくなるので、ローラＢ２１の回転に対してブレーキ効果を生じさせ、マッサージ効果を発揮するものである。
【００２５】
このローラＢ２１は、顔面に沿ってローリングすることにより、適宜の強さの押圧力が皮膚面１６に作用するとマッサージ効果を発揮し、美顔の実現のためために有用となるものである。
尚、本発明は上述した最良の形態に限定されるものではなく、特許請求の範囲内において様々な態様が可能ことは勿論である。
【図面の簡単な説明】
【００２６】
【図１】本発明の美容ローラマッサージ器の構造を示す断面図である。
【図２】図１の美容ローラマッサージ器にキャップを装着した外観を示す正面図である。
【図３】図１の美容ローラマッサージ器の第１ローラ部の使用状態を示す正面図である。
【図４】図３のＡ−Ａ線水平断面図である。
【図５】本発明の美容ローラマッサージ器のローリング部軸受で、（ａ）は断面図、（ｂ）は平面図である。
【図６】図１の美容ローラマッサージ器の回転打撃部の作用を説明する模式図である。
【図７】図１の美容ローラマッサージ器のローリング部のキャップを除去した状態を示す正面図である。
【図８】図６のＢ−Ｂ線水平断面図である。
【図９】図２のＤ−Ｄ線水平断面図である。
【図１０】本発明美容ローラマッサージ器の使用状態図である
【符号の説明】
【００２７】
１      基軸
２      第１の固定軸
３      第２の固定軸
４      第１キャップ
５      第２キャップ
６      止めネジ
７      止めネジ
８      キャップ受け
９      止めネジ
１０      回転打撃部
１１      ローラＡ
１２      プレート
１３      軸受
１４      軸受
１５      金属線
２０      ローリング部
２１      ローラＢ
２２      軸受
２３      軸受
２４      Ｏ環
【図１】
2005245826.tif 000003
【図２】
2005245826.tif 000004
【図３】
2005245826.tif 000005
【図４】
2005245826.tif 000006
【図５】
2005245826.tif 000007
【図６】
2005245826.tif 000008
【図７】
2005245826.tif 000009
【図８】
2005245826.tif 000010
【図９】
2005245826.tif 000011
【図１０】
2005245826.tif 000012